(57)【要約】【課題】  膨大量に廃棄される廃ペットボトルの開口部を簡便に螺着固定でき、且所望の大きさや長さに連結拡大できる広範囲に利用可能の構造物を形成できる。【解決手段】  ポリエステル樹脂素材で、適宜の大きさと扁平状の螺着固定基板の外周縁には、相互を嵌合連結して所望の大きさや長さに連結拡大しえる嵌合連結部を有し、且該螺着固定基板の外周縁には、相互を嵌合連結して所望の大きさや長さに連結拡大しえる嵌合連結部を有し、且該螺着固定基板の一側面若しくは両側面に廃ペットボトルの開口部を螺着固定できる螺着固定部が、全面に均等間隔に形成された構成。【選択図】図２
2011063314.tif 000002
【特許請求の範囲】
【請求項１】
ポリエステル樹脂素材からなり適宜の大きさと扁平状の螺着固定基板の外周縁には、相互の外周縁を嵌合連結させて所望の大きさや長さに連結拡大できる嵌合連結部が形成されてなり、而も螺着固定基板の一側面若しくは両側面には、廃ペットボトルの開口部と螺着固定できる螺着固定部がその全面に亘って一体的に且均等間隔で形成された構成からなる廃ペットボトルの再利用具。
【請求項２】
螺着固定基板の外周縁に形成される嵌合連結部が嵌合凹部及び嵌合凸部により嵌合連結される、請求項１記載の廃ペットボトルの再利用具。
【請求項３】
ポリエチレン若しくはポリプロピレン樹脂素材からなり、適宜の大きさと扁平状の螺着固定基板の外周縁には、相互の外周縁を嵌合連結させて所望の大きさや長さに連結拡大できる嵌合連結部が形成され、且この螺着固定基板の全面に亘って均等間隔に、廃ペットボトルに使用されてなる閉塞蓋を嵌入し接着若しくは熔着固定させる螺着固定部嵌入穴が形成されたうえ、該螺着固定部嵌入穴内に閉塞蓋が嵌入され接着若しくは熔着固定されて螺着固定部が形成されてなる構成の、廃ペットボトルの再利用具。
【請求項４】
螺着固定基板の外周縁に形成される嵌合連結部が嵌合凹部及び嵌合凸部により嵌合連結される、請求項３記載の廃ペットボトルの再利用具。
【発明の詳細な説明】
【技術分野】
【０００１】  本発明は飲料容器として膨大量に生産消費され廃棄されるペットボトルを、広範囲に亘る利用途に再利用し、以って廃棄汚染防止に大きく寄与する再利用具に関するものである。
【背景技術】
【０００２】  我が国では経済成長期における大量生産、大量販売、大量消費に対処すべく生産素材を初め生産手段や流通手段、或いは販売手段等に亘り革新的、斬新的開発や提案がなされてきている。
即ちかかる流通手段の革新的対処の例として、従来醤油類や食用油類の包装容器としては多量嵩高で且破損危険をも抱える壜に代えて、１９７７年には強靭で軽量、薄肉なポリエチレンテレフタレート樹脂による容器（通称ペットボトル）の使用が認められ採用され、更に１９８２年には清涼飲料水もペットボトルへの採用がなされ、１９９６年には５００ｍｌ以下の容器への採用も認可されたこととも相俟って、今日においてはスーパーやコンビニ等の販売店舗においてはもとより、自動販売機においても茶系飲料、乳飲料、ミネラルウォーター、炭酸飲料、果実系飲料が更にはスーパーやコンビニ等の店舗では醤油やみりん、ソース等の他に酒類の一部も販売されているために、使用後の廃ペットボトルの発生量は膨大なものがある。【０００３】  ところで現状のペットボトルは、最少容量１９０ｍｌ程度の物から最大４，０００ｍｌ程度の物まで使用されているが、一容器当りでは略２０乃至５０ｇであって、且現状におけるペットボトルの総使用量即ち廃棄ペットボトル総量は略６０万トンにも昇っている。
反面かかる廃棄ペットボトル総量に対して、回収されているペットボトルは略３５万トンと言われ、この回収ペットボトルから更に実質的に再生利用されている割合は略４０％と推定されている。【０００４】  而して回収ペットボトルの回収率は略５８％程度までに至っているものの、この回収分からの再生利用率は略２２〜２３％であるが、かかる再生利用には回収容器の内部洗浄やラベルや蓋の除去等の制約によりこれ以上の再生利用率向上も至難とされている。
してみると再生利用の向上が見込まれず、膨大量に廃棄されるペットボトルを単に焼却処分に依拠することは省エネルギー化や環境汚染の削減にも遂行する事態に他ならない。【０００５】  加えてかかるペットボトルの回収率は、いわば政策的手段に負うところが大で且その回収率も略５８％程度であるから、実態上は極めて大多数のペットボトルが広範囲に放置され或いは恣意に廃棄され若しくは随所に散乱した状況も散見される。即ちかかる再生利用率の向上は、廃ペットボトルの洗浄やラベル並びに蓋の除去分別に多大な費用を要することから、財政支援がなされぬ限り再生利用の拡大もなしえず、而も該再生利用に際しては品質上の制約もあること等により、新たな再利用法の開発が強く望まれていた。【０００６】  かかる問題に対しては、ペットボトルの使用後にカットラインや加工する目安を表示しておき、廃棄ペットボトルの状態で該カットラインや表示ラインに沿ってカットし、スコップの代用として利用する方法や、ブロック状でブロックの上側の枠部と下側の脚部とを枠部へ脚部が嵌まる条件で一体成形され、且枠部はペットボトルの下部の嵌め外しが可能であって周囲に隣り合うブロックを連結する連結手段が設けられ、更に脚部は中央部にペットボトルの上部を嵌め外しする受孔が設けられ、受孔の外側には連結手段で連結した枠体の対応周壁を挟み付ける切割が設けられた構成の連結具を用いて、什器や玩具等が形成できるものとするものが提案されている。
【特許文献１】  登録実用新案第３１４４４８３号公報
【特許文献２】  特開２００８−１８７００１号公報
【０００７】  然るにかかる如きスコップ等への再利用や単なる連結組立てによる什器や玩具等への利用程度では、膨大量に使用され廃棄されるペットボトルの再利用拡大の課題にはそぐわない。そこで発明者等は廃棄ペットボトルを多量に且有効利用を図るためには、ペットボトルを空のまま或いはペットボトル内に水を注入し若しくは土砂等を充填することにより、耐圧縮強力の著しい増大と且多重量化が図られること、並びにペットボトル開口部の螺着凸部と閉蓋部材の螺着凹部との螺合強度も極めて強力であることに着目し、所要の寸法形状でその外周縁には相互に嵌着連結させ適宜の面積及び長さに展開できる嵌合凸部及び凹部が形成された基材の一側面若しくは両側面には、可能な限り多数の閉蓋部材を一体的に若しくは閉蓋部材を嵌入のうえ接着若しくは熔着形成させ、而して閉蓋部材に空のペットボトルを螺着させ、若しくはその内部に水若しくは砂泥を充填のうえ螺着させることにより農地や園地等の境界具、農作物や花卉等の栽培棚台、魚介類の干し台、花壇囲い、夜間の道路境界安全具等に膨大量のペットボトルを活用できることを究明し本発明に至った。
【発明の開示】
【発明が解決しようとする課題】
【０００８】  本発明は膨大量に廃棄されるペットボトルを、空のまま若しくはその中に水或いは土砂を充填のうえ、所要の大きさと扁平状でその一側面若しくは両側面には、ペットボトルの開口部を螺着固定させる螺着固定部が形成された螺着固定基板を、その外周縁に形成された嵌合連結部を嵌合連結させ所要の大きさ若しくは長さに嵌合連結させ且ペットボトルを螺着連結部に螺着させ、以って広範囲の使用途に多量の廃ペットボトルを有効利用させることの可能な再利用具を提供することにある。
【課題を解決するための手段】
【０００９】  上述の課題を解決するために本発明が用いた技術手段は、ポリエステル樹脂素材からなり適宜の大きさと扁平状の螺着固定基板の外周縁には、相互にその外周縁を嵌合連結させて所望の大きさ若しくは長さに連結拡大しえる嵌合凹部及び嵌合凸部とからなる嵌合連結部が形成されてなり、而も螺着固定基板の一側面若しくは両側面には廃ペットボトルの開口部を螺着固定できる螺着固定部が、その全面に亘って一体的に且均等間隔に形成されてなる構成の廃ペットボトルの再利用具に存する。【００１０】  更にはポリエチレン若しくはポリプロピレン樹脂素材からなり、適宜の大きさと扁平状の螺着固定基板の外周縁には、相互にその外周縁を嵌合連結させて所望の大きさ若しくは長さに連結拡大しえる嵌合凹部及び嵌合凸部とからなる嵌合連結部が形成されてなるとともに、この螺着固定基板の全面に亘って均等間隔で、廃ペットボトルに使用されてなる閉塞蓋を嵌入し接着若しくは熔着固定させる螺着固定部嵌入穴が形成されたうえ、該螺着固定部嵌入穴内に閉塞蓋が嵌入され接着若しくは熔着されて螺着固定部が形成されてなる構成の廃ペットボトルの再利用具の構成に存する。
【発明の効果】
【００１１】  本発明は上述の如き構成からなるものであって、螺着固定基板が所要の大きさで且概略扁平状に形成されてなるとともに、その外周縁には嵌合凹部及び嵌合凸部とからなる嵌合連結部が形成されてなるから、対向する二外周縁の嵌合連結部相互を嵌合連結することで所望の長さに連結拡大形成され、更に対向する四外周縁の嵌合連結部相互を嵌合連結することで所望の広さ面積まで自在に拡大展張できる。【００１２】  そして螺着固定基板の一側面若しくは両側面には、廃ペットボトルの開口部を螺着固定できる螺着固定部がその全面に亘って一体的且均等間隔に成形されてなるから、多量の廃ペットボトルのそれぞれの開口部を螺着固定部に螺着するのみで強固に螺着固定できるとともに、使用目的に合せて全体を軽量に形成させる場合には空の廃ペットボトルを、更には全体を多重に形成させる場合には、廃ペットボトル内に水を充填し若しくは砂泥を充填のうえ螺着固定部に螺着することで容易に形成できる。
加えて特徴的なことは廃ペットボトル内に水を充填のうえ螺着固定したうえ道路との境界部分や危険場所の防護堤として使用することで車輛等の光源による反射作用が発揮されて早期の危険予知がなされ、更に農作物や花卉栽培棚台等への使用においては、螺着固定された廃ペットボトルの螺着を解離させることで給水も可能となる。【００１３】  そして本発明において螺着固定基板の一側面若しくは両側面に、廃ペットボトルの螺着固定部を一体的に形成させる場合には、ポリエステル樹脂素材が用いられるために廃ペットボトルと共に十分な強靭性を保持した螺着固定がなしえるとともに、最終処分時の分別も無くなる。
加えて本発明では膨大量に廃棄されるペットボトルの有効再利用を図るものであって、現状の廃ペットボトルにおいては容器本体がポリエステル樹脂素材が用いられているものの、閉塞蓋は閉塞性のうえからやや柔軟なポリエチレンやポリプロピレン樹脂素材が用いられており、廃ペットボトルの有効な再利用には、該閉塞蓋の利用も強く望まれる。【００１４】  そこで他の構成として螺着固定基板をポリエチレン若しくはポリプロピレン樹脂素材を用い、所要の大きさで概略扁平状に形成し、その外周縁には嵌合連結部を形成するとともに、螺着固定基板の全面に亘って均等間隔に、廃ペットボトルの閉塞蓋が嵌入され接着若しくは熔着固定される螺着固定部嵌入穴が形成されたうえ、該螺着固定部嵌入穴に閉塞蓋が嵌入され接着若しくは熔着固定された構成のため、廃ペットボトルの容器並びに閉塞蓋の有効利用が図られる。
【発明を実施するための最良の形態】
【００１５】  ポリエステル樹脂素材により所要の大きさと且扁平状で、その外周縁に嵌合凹部と嵌合凸部とからなる嵌合連結部が設けられ、而も螺着固定基板全面に亘り、廃ペットボトルの開口部と螺着固定できる螺着固定部が一体的且均等間隔に成形されてなる構成。
【実施例１】
【００１６】  以下に本発明実施例を図とともに詳細に説明すれば、図１は本発明の斜視図であって、螺着固定基板１Ａは、本発明の目的たる膨大量に廃棄される廃ペットボトル２の再利用を実現させるための再利用具１の主要部を形成するもので、廃ペットボトル２の容器本体２Ａが使用性能上のうえからポリエステル樹脂素材が用いられてなることは、該ポリエステル樹脂素材が引張強力や曲げ強力に加えて耐候性や耐水性、或いは透明性にも優れることによるが、容器としての利用途以外にも広範囲の利用が可能である。従って螺着固定基板１Ａにポリエステル樹脂素材を用いることにより、廃ペットボトル２の容器本体２Ａとの強固な螺着固定が可能となるばかりか、長期使用後の最終廃棄に際しても分別の問題も解決される。【００１７】  しかして該螺着固定基板１Ａの実用使用上の大きさについては、その外周縁に形成される嵌合凹部１ｂや嵌合凸部１ｃとにより構成される嵌合連結部１Ｂを、相互に嵌合連結させることにより長さ方向にも広さ方向にも自在に連結拡大できるものであるが、使用目的に合せて埋設し固定設置し若しくは積層設置させるための施工性のうえからは、予め所定の大きさと扁平状の螺着固定基板１Ａに所要数の廃ペットボトル２の容器本体２Ａを螺着固定させたユニット体として取り扱うことが有利となる。【００１８】  これがためには実用使用において、道路の境界安全棚台の如く長く且光反射を利用する場合等には、螺着固定基板１Ａの幅としては略４５乃至９０ｃｍ、長さ９０乃至１８０ｃｍ程度が、更に農作物や花卉等の栽培棚台等広面積で使用する場合には、その幅として略９０乃至１８０ｃｍ、長さで略１８０乃至３６０ｃｍ程度が有利である。
加えて螺着固定基板１Ａは、その上面において農作物や花卉栽培の育苗箱や各種の標示具や機器等の載置もなされることから、略扁平状に形成されることが有利である。【００１９】  図２は螺着固定基板１Ａの裏面説明図であって、螺着固定基板１Ａの外周縁に形成される連結拡大を図るための嵌合連結部１Ｂは、図２で明らかな如く嵌合凹部１ｂと嵌合凸部１ｃとにより形成されるもので、一方の螺着固定基板１Ａに形成された嵌合凹部１ｂには嵌合連結される他の螺着固定基板１０Ａの嵌合凸部１０ｃが、更に嵌合凸部１ｃには他の螺着固定基板１０Ａの嵌合凹部１０ｂが嵌合連結されて連結拡大がなされる。【００２０】  そしてかかる螺着固定基板１Ａの一側面若しくは両側面には、廃棄ペットボトル２の容器本体２Ａの開口部と螺着固定できるよう螺着固定部２Ｃがその全面に亘って一体的に且均等間隔に形成されてなるものである。
この螺着固定部２Ｃ相互の間隔は、螺着固定される廃ペットボトル２の容器２Ａの直径若しくは縦及び横の寸法を考慮して決定されるもので、一般的にはペットボトル自体最低１９０ｍｌから最大では２，０００ｍｌの容量のものが多く、とりわけ加温飲料では略２８０ｍｌのもの、及び冷却飲料では３５０ｍｌや５００ｍｌ程度が、更に飲料水では２，０００ｍｌが主たる容器として用いられ、加えて醤油では主に１，０００ｍｌが或いは炭酸飲料の大容量容器としては１，５００ｍｌが主流となっている。してみると当然にこれら容器の直径や縦及び横の寸法を考慮して決定されるものである。【００２１】  因みに飲料水２，０００ｍｌ容器の実寸を見ると、縦８５ｍｍ、横１１０ｍｍ、高さ３００ｍｍで且緩八角形状を呈している。従ってかかる飲料水用容器を螺着固定して使用する場合には、多数の廃ペットボトル２の容器本体２Ａを螺回させて螺着固定させるうえから、横方向の長さよりやや余欲をもって略１２０乃至１３０ｍｍ間隔での形成が望まれる。かかる場合に容器容量が１，０００ｍｌ以下ではその形状は円筒形状が殆んどであるから、その直径に対して１０乃至２０ｍｍの余欲を持った間隔で、螺着固定部２Ｃを形成させれば良い。即ち図２における点線は多数本に亘る廃ペットボトル２の容器本体２Ａの螺回させることの可能な間隔を表記させたものである。【００２２】  そして当然のことながら該螺着固定部２Ｃの内面には、廃ペットボトル２の容器本体２Ａの開口部を、廃ペットボトル２における閉塞蓋２Ｂと同様に螺着し固定させるための螺合ネジ溝３Ｄが形成されてなるもので、当然に廃ペットボトル２の容器本体２Ａの開口部には螺着固定できる螺合ネジ山３Ｅが形成されている。
かかる場合において、廃ペットボトル２の容器本体２Ａに使用される閉塞蓋２Ｂの寸法は、その収納容量によっても多少の相違はあるが、飲料水用２，０００ｍｌの開口部の実寸法としては深さで２０ｍｍ、螺合ネジ山３Ｅ間の直径は２８ｍｍであるから、飲料水用２，０００ｍｌの容器本体２Ａを使用する場合においては、螺着固定部２Ｃの深さは略２０ｍｍで且つ螺合ネジ山３Ｅの直径２８ｍｍの開口部と螺着固定できるような寸法で形成される。
図３にはかくして螺着固定基板１の螺着固定部２Ｃに廃ペットボトル２の容器本体２Ａが螺着固定された状態が示されている。【００２３】  ところで該螺着固定基板１Ａは、その一側面若しくは両側面に、廃ペットボトル２の容器本体２Ａの開口部を螺着固定できるように螺着固定部２Ｃを一体的且均等間隔に形成させるうえから、望ましくはインジェクション成形が好都合であるが、使用するポリエステル樹脂素材としては一旦実用に供した廃ペットボトルの再生原料でも十分に対処できる。【００２４】  図４は螺着固定基板１Ａの両側面に螺着固定部２Ｃを形成させた状態が示されてなり、螺着固定基板１Ａを十分な厚さを以って形成させる場合には螺着固定部２Ｃを該螺着固定基板１Ａの表裏面対称的位置に容器本体２Ａ、２Ａの如く螺着固定させることも可能であるが、螺着固定基板１Ａが薄い場合には、裏面の螺着固定部２Ｃと表面の螺着固定部２０Ｃとの配置をズラして形成させることが望ましい。かかる如くして本発明廃ペットボトルの再利用具３が形成される。【００２５】  図５は螺着固定基板１Ａの外周縁に形成された嵌合連結部１Ｂを相互に嵌合連結させて、実用使用する場合の態様が示されてなるもので、図５のＡには外周縁に形成された四周縁の嵌合連結部１Ｂ相互を嵌合連結して広面積に展張させた態様が描かれており、かかる上面において農作物や花卉栽培、育苗箱やポット、鉢類を載置して栽培することが提案される。【００２６】  更に図５のＢにおいては螺着固定基板１Ａの対向する外周縁に形成させた嵌合連結部１Ｂを相互に嵌合連結させて幅が狭く且十分に長い状態の態様が描かれてなるもので、かかる使用例としては廃ペットボトル２の容器本体２Ａ内に水を充填のうえ螺着固定基板１Ａに螺着固定させたうえ、道路との境界部分や危険場所の防護提として配設させることにより、夜間においては車輛のライトによる反射作用も発揮される。
加えて図５のＣには螺着固定基板１Ａに容器本体２Ａが螺着固定されたうえ所要の面積に外周縁の嵌合連結部１Ｂ相互を嵌合連結のうえ積層させた状態が描かれてなり、公園等で遊技具や土砂等を充填のうえ積層させることで防護壁や区画壁等の利用も可能となる。
【実施例２】
【００２７】  ところで本発明の目的は、膨大量に廃棄される廃ペットボトル２の再利用を図るための再利用具を提供することにある。
これがため前述の如き構成による再利用具３においても目的の実現はなされるものであるが、廃ペットボトル２はその容器本体２Ａについてはポリエステル樹脂素材が用いられているものの、閉塞蓋２Ｂは密閉性を高めるうえからポリエチレン若しくはポリプロピレン樹脂素材が使用されており、現状の廃ペットボトル２の回収と再生利用に際しては、清浄とラベル等の除去に加え、ポリエステル樹脂素材からなる容器本体２Ａと閉塞蓋２Ｂとを分別し結局膨大量に亘る閉塞蓋２Ｂは廃棄処分されることとなる。【００２８】  そこで本発明の別の構成においては廃ペットボトル２の容器本体２Ａと且閉塞蓋２Ｂとを共に有効に再利用できる再利用具３０も提案される。
即ち該再利用具３０においては図６に示す如く螺着固定基板３０Ａがポリエチレン若しくはポリプロピレン樹脂素材からなり、適宜の大きさと扁平状の螺着固定基板３０Ａの外周縁には、相互にその外周縁を嵌合連結させて所望の大きさ若しくは長さに連結拡大しえる嵌合凹部３０ｂや嵌合凸部３０ｃとからなる嵌合連結部３０Ｂが形成されてなるとともに、該螺着固定基板３０Ａの全面に亘って均等間隔に廃ペットボトル２に使用されてなる閉塞蓋２Ｂを利用して螺着固定部３０Ｃとなすため、閉塞蓋２Ｂを嵌入のうえ接着若しくは熔着固定３２Ｃさせる螺着固定部嵌入穴３１Ｃが形成された構成からなるもので、図７には螺着固定基板３０Ａに形成された螺着固定部嵌入穴３１Ｃに閉塞蓋２Ｂが嵌入され接着若しくは熔着固定３２Ｃされたうえ、廃ペットボトル２の容器本体２Ａが螺着固定された状態が示されている。
かくしてなる再利用具３０も、前記別の構成からなる再利用具３と同様の使用途に利用できる。
【産業上の利用可能性】
【００２９】  螺着固定基板の螺着固定部に螺着させるのみで、廃ペットボトルの容器本体が螺着固定でき、且外周縁の嵌合連結部を嵌合連結させるのみで実用使用に要する大きさや長さに連結拡大できる。
【図面の簡単な説明】
【００３０】
【図１】  本発明の斜視図である。
【図２】  本発明の裏面説明図である。
【図３】  螺着固定状態の説明図である。
【図４】  両面に螺着固定部が形成された説明図である。
【図５】  本発明の使用態様図である。
【図６】  他の構成による本発明の説明図である。
【図７】  他の構成による螺着固定状態の説明図である。
【符号の説明】
【００３１】  １    本発明再利用具
１Ａ  螺着固定基板
１Ｂ  嵌合連結部
１ｂ  嵌合凹部
１ｃ  嵌合凸部
２    廃ペットボトル
２Ａ  容器本体
２Ｂ  閉塞蓋
２Ｃ  螺着固定部
３Ｄ  螺合ネジ溝
３Ｅ  螺合ネジ山
１０Ａ  他の螺着固定基板
２０Ｃ  表面の螺着固定部
３０    他の構成による再利用具
３０Ａ  他の構成による螺着固定基板
３０Ｂ  他の構成による嵌合連結部
３０ｃ  他の構成による螺着固定部
３１ｃ  他の構成による螺着固定部嵌入穴
３２Ｃ  接着若しくは熔着
【図１】
2011063314.tif 000003
【図２】
2011063314.tif 000004
【図３】
2011063314.tif 000005
【図４】
2011063314.tif 000006
【図５】
2011063314.tif 000007
【図６】
2011063314.tif 000008
【図７】
2011063314.tif 000009